(57)【要約】    本発明の洗濯機においてガスケットは、ケーシングに形成された投入口とタブの入口を連結する通路を形成するガスケットボディと、前記ガスケットボディの内周面に備えられて、ドラム内に洗濯水を噴射する複数のノズルとを備え、前記複数のノズルは、前記ガスケットボディを左右に配分した第１、２の領域のうち、前記第１の領域に下から上へと順に配置される第１、２のノズルと、前記第２の領域に下から上へと順に配置される第３、４のノズルとを備える。前記第１ないし４のノズルに循環水を分配する分配管が備えられ、前記分配管は、前記第１、２のノズルに循環水を供給する第１、２の吐出ポートが互いに平行であり、前記第３、４のノズルに循環水を供給する第３、４の吐出ポートが互いに平行である。
2021528184.tif 000002
【特許請求の範囲】
【請求項１】
洗濯機であって、
前面に形成された投入口１２を有するケーシング１０と、
前記ケーシング内に備えられて洗濯水を収容し、前記タブの前面に形成された投入口３１ｈを有するタブ３０と、
前記タブ内に回転可能に備えられるドラム４０と、
前記投入口１２と前記タブの投入口３１ｈとを連結する通路を形成するガスケットボディ６３、及び前記ドラム内に洗濯水を噴霧する複数のノズル６５を備え、前記ガスケットボディは、第１の領域と第２の領域とに両側に分かれ、前記複数のノズルは、前記第１の領域に下端から上端の方向に順次配置される第１のノズル６５ａ及び第２のノズル６５ｂ、並びに前記第２の領域に下端から上端の方向に順次配置された第３のノズル６５ｃ及び第４のノズル６５ｄを備えるガスケット６０と、
前記タブから排出された洗濯水を汲み出すように構成されたポンプ９０１と、
前記ポンプから排出された水を案内するための循環管８６と、
前記循環管を介して案内された洗濯水を前記第１、第２、第３、及び第４のノズルに分配するための分配管８０１と、を備えてなり、
前記分配管８０１は、
前記循環管に連結される流入ポート８１と、
前記第１の領域内に前記ガスケットボディの外周面上に配置されて、前記流入ポート８１を介して流入する洗濯水を案内するための第１の管路部８０ａと、
前記第１の管路部８０ａ上に下端から上端の方向に順次整列されて、前記第１の管路部８０ａに沿って前記第１及び第２のノズル６５ａ、６５ｂに洗濯水を供給し、前記第１及び第２の吐出ポート８４ａ、８４ｂは、前記第１の管路部８０ａから前記ガスケットボディの外周面に拡張される第１の吐出ポート８４ａ及び第２の吐出ポート８４ｂと、
前記第２の領域内に前記ガスケットボディの外周面上に配置されて、前記流入ポート８１を介して流入する洗濯水を案内するための第２の管路部８０ｂと、
前記第２の管路部８０ｂ上に下端から上端の方向に順次整列されて、前記第２の管路部８０ｂに沿って前記第３及び第４のノズル６５ｃ、６５ｄに洗濯水を供給し、前記第３及び第４の吐出ポート８４ｃ、８４ｄは、前記第２の管路部８０ｂから前記ガスケットボディの外周面に拡張される第３の吐出ポート８４ｃ及び第４の吐出ポート８４ｄと、を備えることを特徴とする、洗濯機。
【請求項２】
前記第１、第２、第３、及び第４の吐出ポート８４ａ、８４ｂ、８４ｃ、８４ｄは、平行に拡張されることを特徴とする、請求項１に記載の洗濯機。
【請求項３】
前記第１及び第３の吐出ポート８４ａ、８４ｃは、前記ガスケットボディの高さの半分より低く配置され、
前記第２及び第４の吐出ポート８４ｂ、８４ｄは、前記ガスケットボディの高さの半分より高く配置されることを特徴とする、請求項１又は２に記載の洗濯機。
【請求項４】
前記第１の吐出ポート８４ａは、前記第３の吐出ポート８４ｃの高さと同じ高さに配置され、
前記第２の吐出ポート８４ｂは、前記第４の吐出ポート８４ｄの高さと同じ高さに配置されることを特徴とする、請求項１〜３の何れか一項に記載の洗濯機。
【請求項５】
前記第１の吐出ポート８４ａの出口は、前記第２の吐出ポート８４ｂの出口より前記ガスケットボディから更に遠く配置されることを特徴とする、請求項１〜４の何れか一項に記載の洗濯機。
【請求項６】
前記第１及び第２の管路部８０ａ、８０ｂは、前記ガスケットボディ６３に対向する内周面上に第１及び第２の平坦面８６０ａ、８６０ｃを各々備え、
前記第１及び第３の吐出ポート８４ａ、８４ｃは、前記第１及び前記第２の平坦面８６０ａ、８６０ｃから望ましくは直角の方向に各々突出されることを特徴とする、請求項１〜５の何れか一項に記載の洗濯機。
【請求項７】
前記第１の吐出ポート８４ａ及び前記第３の吐出ポート８４ｃは、前記ガスケットボディ６３を両側に分割する基準線Ｌを基準に対称に配置されることを特徴とする、請求項１〜６の何れか一項に記載の洗濯機。
【請求項８】
前記第２の吐出ポート８４ｂ及び前記第４の吐出ポート８４ｄは、前記ガスケットボディ６３を両側に分割する基準線Ｌを基準に対称に配置されることを特徴とする、請求項７に記載の洗濯機。
【請求項９】
前記第２及び第４の吐出ポート８４ｂ、８４ｄの流路断面積ＤＡ２は、前記第１及び第３の吐出ポート８４ａ、８４ｃの流路断面積ＤＡ１より大きいことを特徴とする、請求項１〜８の何れか一項に記載の洗濯機。
【請求項１０】
前記ガスケット６０は、前記ガスケットボディ６３の外周面から突出されて、前記第１、第２、第３、及び第４のノズル６５ａ、６５ｂ、６５ｃ、６５ｄに各々挿入される複数のポート挿入管６４ａ、６４ｂ、６４ｃ、６４ｄを更に備え、
前記複数のポート挿入管６４ａ、６４ｂ、６４ｃ、６４ｄは、前記第１、第２、第３、及び第４のノズル６５ａ、６５ｂ、６５ｃ、６５ｄと各々連通することを特徴とする、請求項１〜９の何れか一項に記載の洗濯機。
【請求項１１】
前記分配管８０１は、前記第１、第２、第３、及び第４の吐出ポート８４ａ、８４ｂ、８４ｃ、８４ｄのうち、少なくとも１つの吐出ポートの外周面から突出され、円周方向に拡張されて、前記少なくとも１つの吐出ポートに該当するポート挿入管６４ａ、６４ｂ、６４ｃ、６４ｄの内周面を締め付ける圧入突起８６９を更に備えることを特徴とする、請求項１０に記載の洗濯機。
【請求項１２】
前記圧入突起８６９は、前記少なくとも１つの吐出ポートの長さ方向に複数で備えられることを特徴とする、請求項１１に記載の洗濯機。
【請求項１３】
前記圧入突起８６９は、前記少なくとも１つの吐出ポートがこれに該当するポート挿入管に挿入される方向に傾く傾斜を備えることを特徴とする、請求項１１又は１２に記載の洗濯機。
【請求項１４】
前記分配管８０１は、前記第１、第２、第３、及び第４の吐出ポート８４ａ、８４ｂ、８４ｃ、８４ｄのうち、少なくとも１つの吐出ポートの外周面の端部から突出され、前記少なくとも１つの出口に該当するノズルの入口を通過して、これに該当するノズルの出口に挿入される末端突起８４２を更に備え、
前記当該ノズルの直径は、前記入口から前記出口に向かって減少することを特徴とする、請求項１〜１３の何れか一項に記載の洗濯機。
【請求項１５】
洗濯機であって、
前面に形成された投入口１２を有するケーシング１０と、
前記ケーシング内に備えられて洗濯水を収容し、前記タブの前面に形成された投入口３１ｈを有するタブ３０と、
前記タブ内に回転可能に備えられるドラム４０と、
前記投入口１２と前記タブの投入口３１ｈとを連結する通路を形成するガスケットボディ６３、及び前記ドラム内に洗濯水を噴霧する複数のノズル６５を備え、前記ガスケットボディは、第１の領域と第２の領域とに両側に分かれ、前記複数のノズルは、前記第１の領域に下端から上端の方向に順次配置される第１のノズル６５ａ及び第２のノズル６５ｂを備えるガスケット６０と、
前記タブから排出された洗濯水を汲み出すように構成されたポンプ９０２と、
前記ポンプから排出された洗濯水を案内するための第１の循環管と、
前記循環管を介して案内された洗濯水を前記第１及び第２のノズルに分配するための第１の分配管８０２と、を備え、
前記分配管８０２は、
前記第１の循環管に連結される第１の流入ポート８１ａと、
前記第１の領域内に前記ガスケットボディの外周面上に配置されて、前記流入ポート８１を介して流入する洗濯水を上方向に案内するための第１の管路部と、
前記第１の管路部上に下端から上端の方向に順次整列されて、前記第１の管路部に沿って前記第１及び第２のノズル６５ａ、６５ｂに洗濯水を供給し、前記第１及び第２の吐出ポート８４ａ、８４ｂは、前記第１の管路部から前記ガスケットボディの外周面に向かって拡張される第１の吐出ポート８４ａ及び第２の吐出ポート８４ｂと、を備えることを特徴とする、洗濯機。
【請求項１６】
前記複数のノズルは、前記第２の領域に下端から上端の方向に順次配置される第３のノズル及び第４のノズル６５ｃ、６５ｄを更に備え、
前記洗濯機は、
前記ポンプから排出された洗濯水を案内するための第２の循環管と、
前記第２の循環管を介して案内される洗濯水を前記第３及び第４のノズルに分配するための第２の分配管８０３と、を更に備え、
前記第２の分配管８０３は、
前記第２の循環管に連結される第２の流入ポート８１ｂと、
前記第２の領域内に前記ガスケットボディの外周面上に配置されて、前記第２の流入ポート８１ｂを介して流入する洗濯水を上方向に案内するための第２の管路部と、
前記第２の管路部上に下端から上端の方向に順次整列されて、前記第２の管路部に沿って前記第３及び第４のノズル６５ｃ、６５ｄに洗濯水を供給し、前記第２の管路部から前記ガスケットボディの外周面に向かって拡張される第３の吐出ポート８４ｃ及び第４の吐出ポート８４ｄと、を備えることを特徴とする、請求項１５に記載の洗濯機。
【発明の詳細な説明】
【技術分野】
【０００１】
本発明は、洗濯機に関し、より詳細には、ドラム内に循環水を噴射するノズルがガスケットに備えられた洗濯機に関する。
【背景技術】
【０００２】
韓国公開特許１０−２０１８−０１３１８９７は（以下、「従来技術」という。）は、ポンプにより圧送された循環水をドラム内に噴射するノズルを備えた洗濯機を開示している。前記洗濯機は、外観を形成するケーシングと水が入れられるタブとの間に介在されたガスケットの内周面に沿って複数個のノズルが備えられ、前記ガスケットの外周面から突出された複数個のポート挿入管が前記ノズルと各々連通される。
【０００３】
前記ポンプにより圧送された水（循環水）を案内する案内管が備えられ、前記案内管は、環形の流路から突出された複数個の吐出ポートが前記複数個のポート挿入管に各々挿入される。
【０００４】
それぞれの前記ポート挿入管は、前記ガスケットの外周面から略半径方向外側に突出された形態であり、これに対応して、それぞれの前記吐出ポートも前記環形の流路から半径方向内側に突出されている。
【０００５】
それぞれの前記ポート挿入管に前記吐出ポートが挿入される方向が相違するので、２つ以上のノズル給水ポートを２つ以上のポート挿入管に同時に組み立てることができず、製造工程も複雑になるという問題があった。
【０００６】
また、このように放射状にポート挿入管が延びる形態からなるガスケットを成形するためには、各ポート挿入管が延びる方向に金型の移動がなされなければならず、金型構造が複雑になるという問題がある。
【発明の概要】
【発明が解決しようとする課題】
【０００７】
本発明が解決しようとする課題は、第１に、ドラム内に循環水を噴射する複数のノズルがガスケットに備えられ、前記複数のノズルに循環水を供給する分配管を有する洗濯機を提供し、前記分配管を前記ガスケットに容易に設けることができる構造を提供することである。
【０００８】
第２に、前記分配管に備えられた２つ以上の吐出ポートを前記ガスケットに形成されたポート挿入管に容易に脱着できる洗濯機を提供することである。
【０００９】
本発明の課題は、以上で言及した課題に制限されず、言及されていないさらに他の課題は、下記の記載から当業者に明確に理解され得るであろう。
【課題を解決するための手段】
【００１０】
本発明の洗濯機は、回転ドラムを収容するタブから排出された洗濯水がポンプにより圧送され、分配管に沿って案内されてガスケットに配置された複数のノズルに供給される。
【００１１】
前記ガスケットは、ケーシングに形成された投入口と前記タブの入口を連結する通路を形成するガスケットボディとを備え、前記複数のノズルは、前記ガスケットボディの内周面に備えられる。
【００１２】
前記複数のノズルは、前記ガスケットボディを左右に配分した第１、２の領域のうち、前記第１の領域に下から上へと順に配置される第１、２のノズルと、前記第２の領域に下から上へと順に配置される第３、４のノズルとを備える。
【００１３】
前記ポンプから吐出された洗濯水が循環管を介して案内され、前記循環管を介して案内された洗濯水は、前記分配管を介して前記第１ないし４のノズルに分配される。
【００１４】
前記分配管は、前記循環管と連結される流入ポートと、前記ガスケットボディの外周面上で前記第１の領域に配置されて、前記流入ポートに流入した洗濯水のうち、一部を案内する第１の管路部と、前記ガスケットボディの外周面上で前記第２の領域に配置されて、前記流入ポートに流入した洗濯水のうち、他の一部を案内する第２の管路部とを備える。
【００１５】
第１、２の吐出ポートが前記第１の管路部上で下から上へと順に配置されて、前記第１の管路部に沿って案内された洗濯水を前記第１、２のノズルに供給する。前記第１、２の吐出ポートは、互いに平行に配置される。
【００１６】
第３、４の吐出ポートが前記第２の管路部上で下から上へと順に配置されて、前記第２の管路部に沿って案内された洗濯水を前記第３、４のノズルに供給する。前記第３、４の吐出ポートは、互いに平行である。
【００１７】
前記第１ないし第４の吐出ポートは、水平に延びることができる。
【００１８】
前記第１の吐出ポートと前記第２の吐出ポートとは、前記ガスケットボディの半分の高さより下側に位置することができ、前記第３の吐出ポートと前記第４の吐出ポートとは、前記ガスケットボディの半分の高さより上側に位置することができる。
【００１９】
前記第１の吐出ポートと前記第２の吐出ポートとは、同じ高さに位置することができ、前記第３の吐出ポートと前記第４の吐出ポートとは、同じ高さに位置することができる。
【００２０】
前記第１の吐出ポートの出口は、前記第２の吐出ポートの出口より前記ガスケットボディからさらに遠く位置することができる。
【００２１】
前記第１の管路部は、前記ガスケットボディに対向する内径部上に平らに形成された第１のフラット面を備えることができ、前記第１の吐出ポートは、前記第１のフラット面から突出されることができる。前記第１の吐出ポートは、前記第１のフラット面と直交することができる。
【００２２】
前記第２の管路部は、前記ガスケットボディに対向する内径部上に平らに形成された第２のフラット面を備えることができ、前記第２の吐出ポートは、前記第２のフラット面から突出されることができる。前記第２の吐出ポートは、前記第２のフラット面と直交することができる。
【００２３】
前記第１の吐出ポートと前記第３の吐出ポートとは、前記ガスケットボディを左右に両分する対称基準線に対して対称に配置されることができる。
【００２４】
前記第２の吐出ポートと前記第４の吐出ポートとは、前記対称基準線に対して対称に配置されることができる。
【００２５】
前記第２の吐出ポートの流路断面積は、前記第１の吐出ポートの流路断面積より大きいことができる。前記第４の吐出ポートの流路断面積は、前記第２の吐出ポートの流路断面積より大きいことができる。
【００２６】
本発明の他の側面によれば、洗濯機は、前面に投入口が形成されたケーシングと、前記ケーシング内に備えられて洗濯水を収容し、前面に入口が形成されたタブと、前記タブ内に回転可能に備えられるドラムと、前記投入口と前記タブの入口を連結する通路を形成するガスケットボディと、前記ガスケットボディの内周面に備えられて、前記ドラム内に洗濯水を噴射する複数のノズルとを備え、前記複数のノズルは、前記ガスケットボディを左右に配分した第１、２の領域のうち、第１の領域に下から上へと順に配置される第１、２のノズルを備えるガスケットと、前記タブから排出された洗濯水を圧送するポンプと、前記ポンプから吐出された洗濯水を案内する第１の循環管と、前記循環管を介して案内された洗濯水を前記第１、２のノズルに分配する第１の分配管とを備え、前記第１の分配管は、前記第１の循環管と連結される第１の流入ポートと、前記ガスケットボディの外周面上で前記第１の領域に配置されて、前記流入ポートに流入した洗濯水を下から上へと案内する第１の移送管路と、前記移送管路上で下から上へと順に配置されて、前記第１の移送管路に沿って案内された洗濯水を前記第１、２のノズルに供給し、互いに平行に前記第１の移送管路から前記ガスケットボディの外周面側に延びる第１、２の吐出ポートとを備える。
【００２７】
前記複数のノズルは、前記第２の領域に下から上へと順に配置される第３、４のノズルをさらに備えることができ、前記洗濯機は、前記ポンプから吐出された洗濯水を案内する第２の循環管と、前記第２の循環管を介して案内された洗濯水を前記第１、２のノズルに分配する第２の分配管とを備えることができ、前記第２の分配管は、前記第２の循環管と連結される第２の流入ポートと、前記ガスケットボディの外周面上で前記第２の領域に配置されて、前記流入ポートに流入した洗濯水を下から上へと案内する第２の移送管路と、前記第２の移送管路上で下から上へと順に配置されて、前記第２の移送管路に沿って案内された洗濯水を前記第３、４のノズルに供給し、互いに平行に前記第２の移送管路から前記ガスケットボディの外周面側に延びる第３、４の吐出ポートとをさらに備えることができる。
【発明の効果】
【００２８】
本発明に係る洗濯機は、次のような効果が１つあるいはそれ以上ある。
【００２９】
第１に、本発明の洗濯機は、ガスケットに一体に形成された２つ以上のポート挿入管が互いに平行に配置されるので、前記２つ以上のノズルを１つの移動金型を用いて射出しても、開型や脱型作業が円滑になされることができる。
【００３０】
第２に、前方から眺めるとき、前記ガスケットを両分した第１、２の領域のうち、いずれか１つに２つ以上のポート挿入管が互いに平行に形成されるので、分配管を前記ガスケットに設けるとき、前記分配管に備えられた吐出ポートを実質的に同じ方向に移動させて前記吐出ポートを同時にポート挿入管に挿入することができ、組立性が向上する。
【００３１】
特に、前記分配管が循環水連結ポートから分岐された第１の管路部と第２の管路部とを有し、前記第１の管路部と前記第２の管路部とのうち、いずれか１つに各々２つ以上の前記吐出ポートが形成され、前記２つ以上の吐出ポートが各々半径方向に沿って延び、これに対応して、前記２つ以上のポート挿入官も各々半径方向に延びる構造の場合、前記吐出ポート間の挿入方向が異なり、前記吐出ポートを同時に前記ポート挿入管に挿入するのが容易でなかったが、本発明は、ポート挿入管（または、吐出ポート）を互いに平行に配置することにより、このような問題を解決した。
【図面の簡単な説明】
【００３２】
【図１】本発明の一実施形態に係る洗濯機を示した斜視図である。
【図２】図１に示された洗濯機の断面図である。
【図３】図２に示された洗濯機の一部分を示した斜視図である。
【図４】図３に示された組立体の分解斜視図である。
【図５】図４に示されたガスケットの斜視図である。
【図６】図４に示された分配管の斜視図である。
【図７】ガスケットと分配管とが組み立てられた状態を示した斜視図である。
【図８】図７の組立体を前方から眺めたものである。
【図９】ガスケットを後方から眺めたものである。
【図１０】図７のＡ−Ａ´に沿って切り取った断面図である。
【図１１】分配管の正面図である。
【図１２】移送管路内の水圧を示したグラフである。
【図１３】図１１に示された分配管の側面図である。
【図１４】本発明の一実施形態に係るガスケットを製作するための射出成形機の平面図である。
【図１５】図７のＢ−Ｂ´に沿って切り取った断面図である。
【図１６】図９のIII−III´に沿って切り取った断面図である。
【図１７】図９のIV−IV´に沿って切り取った断面図である。
【図１８】ガスケットと分配管との組立体を示したものであって、特に、ノズルの位置とノズルの噴射幅を表示したものである。
【図１９】本発明の他の実施形態に係る洗濯機に適用されるポンプを部分的に切り欠いて示したものである。
【図２０】本発明の他の実施形態に係る洗濯機に適用される第１の分配管と第２の分配管とを示したものである。
【図２１】ガスケットに分配管が設けられた状態を示した部分図であって、特に、ガスケットに形成された残水排出ポートと残水回収口とを見せる図である。
【図２２】ガスケットに分配管が設けられた状態を示した部分図であって、特に、ガスケットに形成された残水排出ポートと残水回収口とを見せる図である。
【図２３】本発明の実施形態に係る分配管において吐出ポートに圧入突起が形成された構造を拡大したものである。
【図２４】本発明のさらに他の実施形態に係る分配管において吐出ポートを見せる部分図である。
【図２５】図２４に示された分配管の吐出ポートがポート挿入管に挿入された状態を示した断面図である。
【図２６】図２５のＡ部分を拡大したものである。
【発明を実施するための形態】
【００３３】
本発明の利点及び特徴、そして、それらを達成する方法は、添付される図面とともに詳細に後述されている実施形態を参照すれば、明確になるであろう。しかしながら、本発明は、以下において開示される実施形態に限定されるものではなく、互いに異なる様々な形態で実現されることができ、単に本実施形態は、本発明の開示が完全なようにし、本発明の属する技術分野における通常の知識を有する者に発明の範疇を完全に知らせるために提供されるものであり、本発明は、請求項の範疇により定義されるだけである。明細書全体にわたって同一参照符号は、同一構成要素を称する。
【００３４】
以下、添付された図面を参照して本発明について具体的に説明する。
【００３５】
図１〜図４に示すように、本発明の一実施形態に係る洗濯機は、外観を形成するケーシング１０と、ケーシング１０内に配置され、洗濯水が貯留されるタブ３０と、タブ３０内に回転可能なように設けられて洗濯物が投入されるドラム４０と、ドラム４０を回転させるモータ５０とを備える。
【００３６】
ケーシング１０の前面には、投入口１２が形成された前方パネル１１が配置され、前方パネル１１には、投入口１２を開閉するドア２０が配置され、洗剤が投入されるディスペンサ１４が設けられ得る。
【００３７】
また、ケーシング１０の内部には、給水バルブ１５、給水管１６、給水ホース１７が設けられ得る。給水の際、給水バルブ１５、給水管１６を通過した洗濯水がディスペンサ１４で洗剤と混合された後、給水ホース１７を介してタブ３０に供給されることができる。
【００３８】
一方、給水バルブ１５に直水供給管１８が連結されて、直水供給管１８を介して洗濯水が洗剤と混合されずにタブ３０内に直接供給されることができる。
【００３９】
ケーシング１０内部には、水が溜められるタブ３０が配置され得る。タブ３０は、洗濯物が投入され得るように前面に入口（または、開口部３１ｈ）が形成される。キャビネット１１とタブ３０とは、環形のガスケット６０により連結されることができる。
【００４０】
タブ３０は、単一のタブ体で形成されることができ、第１、２のタブ体３０ａ、３０ｂが互いに締め付けられて形成されることもできる。本発明の実施形態においては、第１、２のタブ体３０ａ、３０ｂが締め付けられてタブ３０を形成することを例に挙げて説明する。以下では、第１のタブ体３０ａを単に「タブ３０」と称して説明する。
【００４１】
ガスケット６０は、タブ３０に溜められた水が漏れることを防止するためのものである。ガスケット６０は、環形の前端部から環形の後端部に延び、投入口１２と開口部３１ｈとを連結する管状の通路を形成できる。ガスケット６０の前記前端部は、ケーシング１０の前方パネル１１に固定され、前記後端部は、タブ３０の開口部３１ｈ周りに固定されることができる。
【００４２】
ガスケット６０は、柔軟なまたは弾性を有する材質からなることができる。ガスケット６０は、天然ゴムまたは合成樹脂で形成されることができる。ガスケット６０は、ゴムのような柔軟性の材質で形成されることができる。ガスケット６０は、ＥＰＤＭ（ＥｔｈｙｌｅｎｅＰｒｏｐｙｌｅｎｅＤｉｅｎｅＭｏｎｏｍｅｒ）、ＴＰＥ（ＴｈｅｒｍｏＰｌａｓｔｉｃＥｌａｓｔｏｍｅｒ）などの材質からなることができる。以下、ガスケット６０の管状の形態の内側を限定する部分をガスケット６０の内周部（または、内周面）といい、その反対側部分をガスケット６０の外周部（または、外周面）という。
【００４３】
タブ３０内には、洗濯物が収容されるドラム４０が回転可能に備えられることができる。タブ３０内の水がドラム４０内に流入し得るように、ドラム４０には、複数の通孔が形成され得る。
【００４４】
ドラム４０は、洗濯物が投入される入口が前面に位置するように配置され、略水平な回転中心線Ｃを中心に回転される。ただし、ここでの「水平」は、数学的に厳密な意味として使用された用語ではない。すなわち、実施形態のように、回転中心線Ｃが水平に対して所定の角度で傾いた場合も垂直よりは水平に近接するので、実質的に水平であるということができる。
【００４５】
ドラム４０の内側面には、複数のリフタ３４が備えられ得る。複数のリフタ３４は、ドラム４０の中心に対して一定の角度で配置されることができる。ドラム４０の回転の際、洗濯物がリフタ３４により持ち上げられてから落下することを繰り返す。
【００４６】
ドラム４０を回転させるための駆動部５０がさらに備えられ得るし、駆動部５０により回転される駆動軸５１がタブ３０の後面部を通過してドラム４０と結合されることができる。
【００４７】
望ましくは、駆動部５０は、直結式洗濯モータを備えて構成され、前記洗濯モータは、タブ３０の後方に固定されたステータと、前記ステータとの間に作用する磁気力により回転されるロータとを備えることができる。駆動軸５１は、ロータと一体に回転されることができる。
【００４８】
タブ３０は、ベース１５に設けられたダンパ１９により支持されることができる。ドラム４０の回転の際に誘発されるタブ３０の振動がダンパ１９により減衰される。図示されてはいないが、実施形態によって、タブ３０をケーシング１０内に吊り下げるハンガー（例えば、ばね）がさらに備えられ得る。
【００４９】
ディスペンサ１４には、添加剤がその種類に応じて区分されて収容され得る。ディスペンサ１４は、洗剤を収容する洗剤収容部（図示せず）と、繊維柔軟剤を収容する柔軟剤収容部（図示せず）とを備えることができる。
【００５０】
また、ケーシング１０内には、ポンプ９０１が設けられ得る。ポンプ９０１は、排出ホース７２によりタブ３０と連結されることができる。ガスケット６０には、分配管８０が設けられ、分配管８０は、循環管８６によりポンプ９０１と連結されることができる。タブ３０から排出ホース７２を介して排出された洗濯水がポンプ９０１により圧送されて、分配管８０に沿って案内された後、ガスケット６０に備えられたノズル６５ａ、６５ｂ、６５ｃ、６５ｄを介してドラム４０内に噴射されることができる。
【００５１】
一方、ポンプ９０１は、排水管７４とも連結されており、排水管７４を介して洗濯水が外部に排出され得る。すなわち、本発明の実施形態に係るポンプ９０１は、洗濯水を外部に排出させる排水ポンプと洗濯水を循環させる循環ポンプとしての機能を果たすが、これとは異なり、排水ポンプ及び循環ポンプが別に設けられることができ、排水ポンプと循環ポンプとが別に設けられる場合には、排水ポンプに排水管７４が連結され、循環ポンプに循環管８６が連結されることができる。
【００５２】
図３〜図４に示すように、タブ３０の前方面３１にバランサ９０が締め付けられることができる。バランサ９０は、タブ３０の前方面３１左側に配置される第１のバランサ９０ａ及びタブ３０の前方面３１右側に配置される第２のバランサ９０ｂを備えることができる。
【００５３】
第１のバランサ９０ａの上端と第２のバランサ９０ｂの上端とは、互いに離間されることができる。第１のバランサ９０ａの下端と第２のバランサ９０ｂの下端とは、互いに離間されることができる。第１、２のバランサ９０ａ、９０ｂは、互いにガスケットの中心を通る基準線Ｌを基準に左右対称の形状でありうるし、位置的にも基準線Ｌを基準に左右対称に配置されることができる。
【００５４】
本発明の実施形態においては、バランサ９０が左右バランサ９０ａ、９０ｂで構成されて、各々タブ３０の前方面３１上で左側と右側に締め付けられているが、バランサ９０は、単一体で形成されることができ、上下バランサで形成されて、タブ３０の前方面３１上で上側及び下側に締め付けられることもでき、これに限定されず、前記バランサは、他の形態に変形されるか、タブの他の位置に設けられることができる。
【００５５】
バランサ９０は、タブの前面左側に配置される第１のバランサ９０ａ及びタブ３０の前面右側に配置される第２のバランサ９０ｂを備えることができ、第１のバランサ９０ａと第２のバランサ９０ｂとは、上側及び下側で互いに離間されることができる。第１、２のバランサ９０ａ、９０ｂは、互いにガスケットの中心を通る基準線Ｌを基準に左右対称の形状でありうるし、基準線Ｌを基準に左右対称の位置に配置されることができる。
【００５６】
図３〜図４に示すように、ポンプ９０１は、ポンプハウジング９１、第１のポンプモータ９２、第１のインペラ９１５（図１９参照）、第２のポンプモータ９３、及び第２のインペラ（図示せず）を備えることができる。
【００５７】
ポンプハウジング９１には、水入りポート９１１（図１９参照）、循環ポート９１２、及び排水ポート９１３が形成され得る。ポンプハウジング９１内には、第１のインペラ９１５が収容される第１のチャンバ９１４（図１９参照）と、前記第２のインペラが収容される第２のチャンバ（図示せず）とが形成され得る。第１のインペラ９１５は、第１のポンプモータ９２により回転され、前記第２のインペラは、第２のポンプモータ９３により回転される。
【００５８】
第１のチャンバ９１４と循環ポート９１２とは、第１のインペラ９１５の回転方向に巻かれたボリュート（ｖｏｌｕｔｅ）形態の流路をなし、前記第２のチャンバと排水ポート９１３とは、前記第２のインペラの回転方向に巻かれたボリュート形態の流路をなす。ここで、各インペラの回転方向は、制御部により制御が可能なものであって、予め決められたことである。前記制御部は、プログラムが記録された媒体に接近して、記録されたプログラムにしたがって演算を処理するプロセッサ（ｐｒｏｃｅｓｓｏｒ）を備えることができる。さらには、前記制御部は、ポンプモータ９２、９３だけでなく、洗濯機を構成する他の電装品に対する制御を兼ねることができる。
【００５９】
水入りポート９１１は、排出ホース７２と連結され、第１のチャンバ９１４と前記第２のチャンバとは水入りポート９１１と連通される。排出ホース７２を介してタブ３０から排出された水が、水入りポート９１１を介して第１のチャンバ９１４と前記第２のチャンバとに供給される。
【００６０】
第１のチャンバ９１４は、循環ポート９１２と連通され、前記第２のチャンバは、排水ポート９１３と連通される。したがって、第１のポンプモータ９２が作動されて、第１のインペラ９１５が回転されれば、第１のチャンバ９１４内の水が循環ポート９１２を介して排出される。そして、第２のポンプモータ９３が作動されるときには、前記第２のインペラが回転されて、前記第２のチャンバ内の水が排水ポート９１３を介して排出される。循環ポート９１２は、循環管８６と連結され、排水ポート９１３は、排水管７４と連結される。
【００６１】
ポンプ９０１は、流量（または、吐出水圧）可変が可能なものである。このために、ポンプモータ９２、９３は、回転速度制御が可能な可変速モータであることができる。それぞれのポンプモータ９２、９３は、ＢＬＤＣモータ（ＢｒｕｓｈｌｅｓｓＤｉｒｅｃｔＣｕｒｒｅｎｔＭｏｔｏｒ）が適当であるが、必ずしもこれに限定されるべきものではない。ポンプモータ９２、９３の速度制御のためのドライバがさらに備えられ得るし、前記ドライバは、インバータドライバでありうる。インバータドライバは、ＡＣ電源をＤＣ電源に変換して、目標とした周波数でモータに入力する。
【００６２】
ポンプモータ９２、９３を制御する制御部（図示せず）がさらに備えられ得る。制御部は、比例−積分制御機（ＰＩｃｏｎｔｒｏｌｌｅｒ：Ｐｒｏｐｏｒｔｉｏｎａｌ−Ｉｎｔｅｇｒａｌｃｏｎｔｒｏｌｌｅｒ）、比例−積分−微分制御機（ＰＩＤｃｏｎｔｒｏｌｌｅｒ：Ｐｒｏｐｏｒｔｉｏｎａｌ−Ｉｎｔｅｇｒａｌ−Ｄｅｒｉｖａｔｉｖｅｃｏｎｔｒｏｌｌｅｒ）などを備えて構成されることができる。前記制御機は、ポンプモータの出力値（例えば、出力電流）を入力として受け、これに基づいてポンプモータの回転数が予め設定された目標回転数を追従するように前記ドライバの出力値を制御できる。
【００６３】
図１０、図１５〜図１７に示すように、ガスケット６０は、前方パネル１１の投入口１２周りに結合されるケーシング結合部６１と、開口部３１ｈ周りに結合されるタブ結合部６２と、ケーシング結合部６１とタブ結合部６２との間で延びるガスケットボディ６３とを備えることができる。
【００６４】
前方パネル１１は、投入口１２の周りが外側に巻かれており、このように巻かれた部分により形成された凹んだ部分内にケーシング結合部６１が挟まれ得る。ケーシング結合部６１には、針金が巻かれる環形の溝６１ｒが形成され得る。溝６１ｒに沿って針金が巻かれた後、針金の両端が結束されることにより、ケーシング結合部６１が投入口１２周りに強固に固定される。
【００６５】
タブ３０は、入口周りが外側に巻かれており、このように巻かれた部分により形成された凹んだ部分内にタブ結合部６２が挟まれる。タブ結合部６２には、針金が巻かれる環形の溝６２ｒが形成され得る。溝６２ｒに沿って針金が巻かれた後、針金の両端が結束されることにより、タブ結合部６２がタブ３０の入口周りに強固に結合される。
【００６６】
一方、ケーシング結合部６１は、前方パネル１１に固定されるが、タブ結合部６２は、タブ３０の動きによって変位される。したがって、ガスケットボディ６３は、タブ結合部６２の変位に対応して変形がなされ得なければならない。このような変形が円滑になされ得るように、ガスケット６０は、ケーシング結合部６１とタブ結合部６２との間の区間に、タブ３０が偏心により移動される方向（または、半径方向）に移動されることによって折り畳まれる折り畳み部６３ｂを備えることができる。
【００６７】
より詳細に、ガスケットボディ６３には、ケーシング結合部６１からタブ結合部６２に向かって（または、後方に向かって）延びる管状のリム部６３ａが形成され、折り畳み部６３ｂは、リム部６３ａとタブ結合部６２との間に形成されることができる。
【００６８】
一方、ガスケット６０は、リム部６３ａの前端から外側に折り曲げられてドア２０が閉まった状態で、投入口１２の外側でドア２０の背面と密着される外側ドア密着部６８を備えることができる。ケーシング結合部６１は、外側ドア密着部６８の外側端から延びた部分に前述した溝６１ｒが形成され得る。
【００６９】
ガスケット６０は、リム部６３ａの前端から内側に折り曲げられて、ドア２０が閉まった状態で投入口１２の内側でドア２０の背面と密着される内側ドア密着部６６をさらに備えることができる。
【００７０】
一方、ドラム４０は、回転過程で振動（すなわち、ドラム４０の回転中心線Ｃが移動）することになり、それにより、タブ３０の中心線（略ドラム４０の回転中心線Ｃと同一である。）も移動し、このときの移動方向（以下、「偏心方向」という。）は、半径方向成分を有する。
【００７１】
折り畳み部６３ｂは、タブ３０が偏心方向に移動するとき、折り畳まれるか、拡げられる。折り畳み部６３ｂは、リム部６３ａからケーシング結合部６１側に折り曲げられた内径部６３１と、内径部６３１からタブ結合部６２側に折り曲げられてタブ結合部６２と連結される外径部６３２とを備えることができる。前方から眺めるとき、内径部６３１は、外径部６３２により囲まれた内側に位置する。図１７に示されたように、リム部６３ａと折り畳み部６３ｂは、略「Ｓ」字形態の断面をなすことができる。
【００７２】
タブ３０の中心が偏心方向に移動されるとき、折り畳み部６３ｂの一部分が折り畳まれれば、その部分で内径部６３１と外径部６３２との間が狭くなり、それに対し、このように折り畳まれる部分の反対側では、折り畳み部６３ｂが拡げられて、内径部６３１と外径部６３２との間が広がる。
【００７３】
前方から眺めるとき、外径部６３２の左側部及び／又は右側部には、複数個のポート挿入管６４ａ、６４ｂ、６４ｃ、６４ｄが配置され得る。ポート挿入管６４ａ、６４ｂ、６４ｃ、６４ｄは、外径部６３２から外側に突出されることができる。実施形態においてポート挿入管６４ａ、６４ｂ、６４ｃ、６４ｄは、外径部６３２の左側部に２個６４ａ、６４ｂ、右側部に２個６４ｃ、６４ｄが配置される。区分のために、これらを各々第１のポート挿入管６４ａ、第２のポート挿入管６４ｂ、第３のポート挿入管６４ｃ、及び第４のポート挿入管６４ｄと称する。
【００７４】
具体的に、前方から眺めるとき、ガスケットボディ６３を左右に配分した第１、２の領域のうち、前記第１の領域（例えば、基準線Ｌの左側領域）で下から上へと順に第１、２のポート挿入管６４ａ、６４ｂが配置され、前記第２の領域（例えば、基準線Ｌの右側領域）で下から上へと順に第３、４のポート挿入管６４ｃ、６４ｄが備えられる。
【００７５】
一方、図８〜図９に示すように、ガスケット６０の内周面には、複数のノズル６５が配置され得る。望ましくは、ノズル６５は、外径部６３２の内周面に配置されることができる。４個のポート挿入管６４ａ、６４ｂ、６４ｃ、６４ｄに対応して４個のノズル６５ａ、６５ｂ、６５ｃ、６５ｄ（図９参照）が備えられ得る。それぞれのポート挿入管６４ａ、６４ｂ、６４ｃ、６４ｄは、対応するノズル６５ａ、６５ｂ、６５ｃ、６５ｄと連通される。すなわち、各ポート挿入管６４ａ、６４ｂ、６４ｃ、６４ｄに形成された中空がノズル６５ａ、６５ｂ、６５ｃ、６５ｄの入口と連通される。
【００７６】
第１のポート挿入管６４ａの上側に第２のポート挿入管６４ｂが配置される。第１のポート挿入管６４ａと第２のポート挿入管６４ｂとは、互いに平行に配置されることができる。第１のポート挿入管６４ａと第２のポート挿入管６４ｂとは、水平方向（または、左右方向）に延びることができる。第１のポート挿入管６４ａと第２のポート挿入管６４ｂとに各々形成された中空も水平に延びて互いに平行であることができる。
【００７７】
第３のポート挿入管６４ｃの上側に第４のポート挿入管６４ｄが配置される。第３のポート挿入管６４ｃと第４のポート挿入管６４ｄとは、互いに平行に配置されることができる。第３のポート挿入管６４ｃと第４のポート挿入管６４ｄとは、水平方向（または、左右方向）に延びることができる。第３のポート挿入管６４ｃと第４のポート挿入管６４ｄとに各々形成された中空も水平に延びて互いに平行であることができる。
【００７８】
一方、外径部６３２の下部には、ガスケット６０に溜まった洗濯水を排水するための残水排出ポート６９（図２０参照）が備えられ得る。残水排出ポート６９は、外径部６３２の外周面から下側へ突出されることができる。残水排出ポート６９を介して折り畳み部６３ｂに溜まった洗濯水が排水され得る。
【００７９】
一方、ガスケット６０は、射出成形機１０００を用いて形成することができる。具体的に、射出成形機１０００は、図１４に示すように、固定金型１５００と、固定金型１５００に対して相対移動される移動金型１１００、１２００、１３００、１４００を備える。移動金型１１００、１２００、１３００、１４００は、第１の移動金型１１００、第２の移動金型１２００、第３の移動金型１３００、及び第４の移動金型１４００を備えることができる。
【００８０】
固定金型１５００、第１の移動金型１１００、第２の移動金型１２００、第３の移動金型１３００、及び第４の移動金型１４００により形成されるキャビティ（ｃａｖｉｔｙ）内に射出機（図示せず）から吐出された溶融状態の合成樹脂が注入される。
【００８１】
固定金型１５００は、中央に配置され、第１、２、３、４の移動金型１１００、１２００、１３００、１４００は、固定金型１５００の周りに配置されることができる。開型の際、固定金型１５００に対して第１の移動金型１１００は、前方（図１４を基準に上側）へ移動され、第２の移動金型１２００は、右側へ移動され、第３の移動金型１３００は、後方（図１４を基準に下側）へ移動され、第４の移動金型１４００は、左側へ移動される。
【００８２】
ガスケット６０の下部に配置された残水排出ポート６９（図２１〜図２２参照）は、第３の移動金型１３００により成形されることができる。残水排出ポート６９が第３の移動金型１３００の移動方向に延びるので、脱型作業が円滑になされることができる。
【００８３】
ガスケット６０の左側に配置された第１のポート挿入管６４ａと第２のポート挿入管６４ｂとは、第４の移動金型１４００により成形されることができる。第４の移動金型１４００は、左側へ移動され、第１のポート挿入管６４ａと第２のポート挿入管６４ｂとは、第４の移動金型１４００の移動方向と同じ方向（すなわち、左側）に突出されることができる。
【００８４】
第１のポート挿入管６４ａと第２のポート挿入管６４ｂとは、互いに平行に配置されることができる。言い換えれば、第１のポート挿入管６４ａが外径部６３２の外周面から突出された方向と第２のポート挿入管６４ｂが外径部６３２の外周面から突出された方向とが互いに同一でありうる。
【００８５】
ガスケット６０の右側に配置された第３のポート挿入管６４ｃと第４のポート挿入管６４ｄとは、第２の移動金型１２００により形成されることができる。第２の移動金型１２００は、右側へ移動され、第３のポート挿入管６４ｃと第４のポート挿入管６４ｄとは、第２の移動金型１２００の移動方向と同じ方向（すなわち、右側）に突出されて形成される。
【００８６】
第３のポート挿入管６４ｃと第４のポート挿入管６４ｄとは、互いに平行に配置されることができる。言い換えれば、第３のポート挿入管６４ｃが外径部６３２の外周面から突出された方向と第４のポート挿入管６４ｄが外径部６３２の外周面から突出された方向とが互いに同一でありうる。
【００８７】
第１の移動金型１１００、第２の移動金型１２００、第３の移動金型１３００、及び第４の移動金型１４００が互いに異なる方向に移動（または、第１の移動金型１１００と第３の移動金型１３００とが互いに反対方向に移動され、第２の移動金型１２００及び第４の移動金型１４００が互いに反対方向に移動される。）されるので、ガスケット６０の上側、左側、右側、及び下側に各々挿入管またはポートを形成させることができる。
【００８８】
ガスケットボディ６３は、対称基準線Ｌに対して対称構造であることができる。第１のポート挿入管６４ａと第３のポート挿入管６４ｃとは、同じ高さに配置されることができる。第２のポート挿入管６４ｂと第４のポート挿入管６４ｄとは、同じ高さに配置されることができる。第１のポート挿入管６４ａ及び第３のポート挿入管６４ｃは、左右対称構造、すなわち、対称基準線Ｌに対して対称される構造であることができる。同様に、第２のポート挿入管６４ｂと第４のポート挿入管６４ｄも左右対称構造であることができる。
【００８９】
一方、図９に示すように、リム部６３ａは、上側へ行くほど次第に幅（または、前後方向にの長さ）が広くなり得る。この場合、内径部６３１の幅が次第に増加することに対応して、外径部６３２が上側へ行くほど益々後方に位置するようになるので、図９に示されたように、第３のポート挿入管６４ｃが第４のポート挿入管６４ｄよりさらにタブ３０と近接しており、反対側も同様に、第１のポート挿入管６４ａが第２のポート挿入管６４ｂよりさらにタブ３０に近接している。
【００９０】
図５〜図７及び図１８に示すように、循環水をドラム４０内部に吐出させる複数のノズル６５ａ、６５ｂ、６５ｃ、６５ｄが備えられ得る。複数のノズル６５ａ、６５ｂ、６５ｃ、６５ｄは、第１のポート挿入管６４ａ、第２のポート挿入管６４ｂ、第３のポート挿入管６４ｃ、第４のポート挿入管６４ｄと各々連結される。以下、第１のポート挿入管６４ａと連通されて循環水の供給を受けるノズルを第１のノズル６５ａといい、第２のポート挿入管６４ｂと連通されて循環水の供給を受けるノズルを第２のノズル６５ｂといい、第３のポート挿入管６４ｃと連通されて循環水の供給を受けるノズルを第３のノズル６５ｃといい、第４のポート挿入管６４ｄと連通されて循環水の供給を受けるノズルを第４のノズル６５ｄという。
【００９１】
前述したように、複数のポート挿入管６４ａ、６４ｂ、６４ｃ、６４ｄは、各々水平に延び、これに対応して、後述する複数の吐出ポート８４８４ａ、８４ｂ、８４ｃ、８４ｄも各々水平に延び、したがって、各吐出ポート８４ａ、８４ｂ、８４ｃ、８４ｄによる循環水の供給または案内は、水平な方向からなる。
【００９２】
ノズル６５ａ、６５ｂ、６５ｃ、６５ｄは、上記のように、水平な方向に供給された循環水を水平に対して所定の角度をなす方向に吐出するように構成されることができる。すなわち、各吐出ポート８４ａ、８４ｂ、８４ｃ、８４ｄ／ポート挿入管６４ａ、６４ｂ、６４ｃ、６４ｄを介して水平方向に循環水が供給されても、各ノズル６５ａ、６５ｂ、６５ｃ、６５ｄによる吐出方向は、水平に対して所定角度で上向きまたは下向きにすることができる。
【００９３】
図１８は、ガスケットと分配管との組立体を示したものであって、特に、ノズルの位置とノズルの噴射幅を表示したものである。図１８を参照すれば、前述したように、ガスケット６０には、４個のノズル６５が備えられ得る。以下、４個のノズル６５のうち、上側に位置する２個のノズル６５ｂ、６５ｄを各々上部ノズル６５ｂ、６５ｄといい、これらを再度前方から眺めるとき、左側に位置するものを第１の上部ノズル６５ｂといい、右側に位置するものを第２の上部ノズル６５ｄという。
【００９４】
上部ノズル６５ｂ、６５ｄは、ガスケット６０の中心Ｏより上側に位置して下方に循環水を噴射する。ここで、中心Ｏは、ガスケット６０の左右対称基準線Ｌ上に位置する所定の点であり、望ましくは、ガスケット６０の高さＨの半分に位置するが、必ずしもこれに限定されるものではない。
【００９５】
前方から眺めるとき、第１の上部ノズル６５ｂは、基準線Ｌの左側領域に配置されて、基準線Ｌの右側領域に下方に循環水を噴射する。前方から眺めるとき、第２の上部ノズル６５ｂは、基準線Ｌの右側領域に配置されて、基準線Ｌの左側領域に下方に循環水を噴射する。
【００９６】
第１の上部ノズル６５ｂと第２の上部ノズル６５ｄとは、基準線Ｌを基準に左右対称の形態で構成されることができ、したがって、第１の上部ノズル６５ｂと第２の上部ノズル６５ｄとを介して噴射される水流の形態も基準線Ｌに対して対称である。
【００９７】
また、上部ノズル６５ｂ、６５ｄの下側に位置する２個のノズルを下部ノズル６５ａ、６５ｃといい、これらを再度前方から眺めるとき、左側に位置するものを第１の下部ノズル６５ａといい、右側に位置するものを第２の下部ノズル６５ｃという。
【００９８】
前方から眺めるとき、第１の下部ノズル６５ａは、基準線Ｌの左側領域に配置されて、基準線Ｌの右側領域に上方に循環水を噴射する。
【００９９】
前方から眺めるとき、第２の下部ノズル６５ｃは、基準線Ｌの右側領域に配置されて、基準線Ｌの左側領域に上方に循環水を噴射する。
【０１００】
第１の下部ノズル６５ａと第２の下部ノズル６５ｃとは、基準線Ｌを基準に左右対称の形態で構成されることができ、したがって、第１の下部ノズル６５ａと第２の下部ノズル６５ｃとを介して噴射される水流の形態も基準線Ｌに対して対称である。
【０１０１】
図１５〜図１７に示すように、ノズル６５ａは、ガスケット６０のガスケットボディ６３に形成されることができ、望ましくは、外径部６３２の内周面から突出される。ノズル６５ａは、ノズル流入管６５１とノズルヘッド６５２とを備えることができる。具体的に、ノズル流入管６５１は、管状の形態であって、外径部６３２の内周面から突出されて対応するノズルヘッド６５２と連結される。
【０１０２】
ノズルヘッド６５２は、吐出ポート８４から吐出された水が衝突する衝突面６５２ａと、衝突面６５２ａの両側に位置する第１の側面６５２ｂ（図９参照）と第２の側面６５２ｃとを備えることができる。衝突面６５２ａ、第１の側面６５２ｂ、第２の側面６５２ｃにより漏斗形態の空間が形成され、ノズル流入管６５１から排出された水が前記空間内で衝突面６５２ａとぶつかった後、噴射口６５７を介して吐出される。
【０１０３】
第１の側面６５２ｂと第２の側面６５２ｃとは、衝突面６５２ａの左側辺と右側辺から各々延び、衝突面６５２ａに沿って流動する水流の左側と右側境界を限定することができる。
【０１０４】
第１の側面６５２ｂと第２の側面６５２ｃとがなす角度γは、略４５度〜５５度であり、望ましくは５０度であるが、必ずしもこれに限定されるべきものではない。
【０１０５】
ノズル６５を介して噴射される水流の噴射幅を噴射幅角度と定義するとき、前記噴射幅角度は、第１の側面６５２ｂと第２の側面６５２ｃとにより規定されることができる。具体的に、前記噴射幅角度は、衝突面６５２ａと第１の側面６５２ｂとが会う第１の境界と、衝突面６５２ａと第２の側面６５２ｃとが会う第２の境界とがなす角度と定義されることができる。
【０１０６】
図１７に示すように、上部ノズル６５ｂ、６５ｄの噴射幅角度β１は、下部ノズル６５ａ、６５ｃの噴射幅角度β２より小さいことができる。流入ポート８１に供給された循環水は、分配管８０１に沿って上昇する途中に一部が下部ノズル６５ａ、６５ｃを介して噴射され、残りが上部ノズル６５ｂ、６５ｄを介して噴射されるので、上部ノズル６５ｂ、６５ｄを介しての吐出流量は、下部ノズル６５ａ、６５ｃを介しての吐出流量より小さい。したがって、上部ノズル６５ｂ、６５ｄの噴射幅を下部ノズル６５ａ、６５ｃの噴射幅より小さくすることで（β１＜β２）、上部ノズル６５ｂ、６５ｄの吐出水圧を相対的に補償して、全てのノズル６５ａ、６５ｂ、６５ｃ、６５ｄから実質的に均一な水圧で水が吐出されるようにすることができる。
【０１０７】
下部ノズル６５ａ、６５ｃの噴射幅角度β２と上部ノズル６５ｂ、６５ｄの噴射幅角度β１との差（β２−β１）は、略４度〜６度であり、望ましくは、５度である。このとき、β１は、略３８〜４２度であり、望ましくは、４０度であり、β２は、略４３〜４７度であり、望ましくは、４５度である。
【０１０８】
一方、上部ノズル６５ｂ、６５ｄの噴射方向は、上部ノズル６５ｂ、６５ｄとガスケット６０との中心Ｏを連結する線Ｒ（以下、「ノズル配置線」という。）に対して上向きに上向き偏差角Фをなすことができる。ここで、上部ノズル６５ｂ、６５ｄの噴射方向ＤＲは、第１の側面６５２ｂと第２の側面６５２ｃとがなす角を等分する直線に沿って定義し、噴射方向ＤＲは、ノズル配置線Ｒより上向いている。上向き偏差角Фは、５度〜９度であることができ、望ましくは、７度である。
【０１０９】
上部ノズル６５ｂ、６５ｄの高さ、位置、噴射幅角度β１などの種々の条件により、場合によっては、上部ノズル６５ｂ、６５ｄを介して十分な水圧で噴射がなされず、噴射された水流が遠くまで直進できなくなることがある。このような理由のため、上部ノズル６５ｂ、６５ｄの噴射方向を上向き偏差角Фの分だけノズル配置線Ｒより上向くようにすることで、上部ノズル６５ｂ、６５ｄの水圧が十分でない場合にも、ノズル配置線Ｒが通る領域に水流が触れ得るようにし、望ましくは、図１７に示されたように、上部ノズル６５ｂ、６５ｄを介して噴射された水流の形態と下部ノズル６５ａ、６５ｃを介して噴射された水流の形態とが実質的に上下対称になるようにすることができる。
【０１１０】
一方、ガスケット６０の最低点から下部ノズル６５ａ、６５ｃまでの角度をα１とするとき、上部ノズル６５ｂ、６５ｄは、角度α１と対応する位置からガスケット６０の最高点Ｈの間に配置され、１８０−α１を等分した角度と対応する地点よりは上側に位置することができる。すなわち、図１７においてα２は、α３より大きい値を有する。α２−α３は、１８度〜２２度であることができ、望ましくは、２０度である。このとき、α２は、６３度〜６７度であることができ、望ましくは、６５度である。
【０１１１】
一方、下部ノズル６５ａ、６５ｃは、ガスケット６０の高さＨの略１／３地点（１／３Ｈ）に位置することができる。この場合、α２は、上部ノズル６５ｂ、６５ｄがガスケット６０の高さの２／３（２／３Ｈ）より上側に位置する範囲で設定されることが好ましく、このとき、α２は、６５度であることができる。
【０１１２】
ドラム４０内で上下に均等に循環水が噴射されるためには、上部ノズル６５ｂ、６５ｄと下部ノズル６５ａ、６５ｃとが高さ方向に等間隔に配置されることが好ましいが、この場合、重力による噴射水流の弱化のため、上部ノズル６５ｂ、６５ｄから噴射された水流が実際には幾何学的に予測したことより下側の領域に至るようになるという問題がある。したがって、このような重力による水流の弱化を考慮するとき、上部ノズル６５ｂ、６５ｄは、２／３Ｈより上側に配置する必要があるものである。
【０１１３】
一方、ポンプ９０１が作動されて下部ノズル６５ａ、６５ｃを介して循環水が噴射されるとき、タブ３０内の水位は、１／３Ｈ地点を越えないことが好ましい。
【０１１４】
一方、図９に示すように、前方から眺めるとき、下部ノズル６５ａの噴射方向ＤＲａは、ポート挿入管６４ａの長さ方向（または、ノズル６５ａに水が流入する方向、すなわち、入水方向）に対して角ａをなすことができる。
【０１１５】
ノズル６５ａとノズル６５ｃとは、対称に配置される関係であるから、ノズル６５ｃの噴射方向ＤＲｃがポート挿入管６４ｃとなす角度もａである。
【０１１６】
前方から眺めるとき、上部ノズル６５ｂの噴射方向ＤＲｂは、ポート挿入管６４ｂの長さ方向（または、ノズル６５ｂに水が流入する方向、すなわち、入水方向）に対して角ｂをなすことができる。ここで、角度ｂは、１３３〜１３８度であることができる。角度ｂは、角度ａより小さいことができる。
【０１１７】
ノズル６５ｂとノズル６５ｄとは、対称に配置される関係であるから、ノズル６５ｄの噴射方向ＤＲｄがポート挿入管６４ｄとなす角度もｂである。
【０１１８】
一方、ノズル流入管６５１は、水平に延びて水を水平な方向に案内する。したがって、水流がノズルヘッド６５２に至る前まで重力の影響を受けずに一定に進行された後、衝突面６５２ａにより拡散されるので、各ノズル６５ａ、６５ｂ、６５ｃ、６５ｄから一定の形態で水流が噴射され得る。
【０１１９】
仮りに、ノズル流入管６５１の長さ方向が略水平に配置されずにガスケット６０の中心Ｏに向けて配置されるならば、上部ノズル６５ｂ、６５ｄのノズル流入管６５１を流動する水は、下に流れる過程で重力が加えられて下部ノズル６５ａ、６５ｃより早くドラム４０内に噴射され、下部ノズル６５ａ、６５ｃのノズル流入管６５１を流動する水は、上に流れる過程で重力が加えられて上部ノズル６５ｂ、６５ｄより遅くドラム４０内に噴射されるので、複数のノズル６５ａ、６５ｂ、６５ｃ、６５ｄからドラム４０内に噴射される水の噴射形態が一定に維持され難くなるが、本実施形態では、ノズル流入管６５１の長さ方向が略水平に配置されて、水を水平な方向に案内するので、複数のノズル６５ａ、６５ｂ、６５ｃ、６５ｄからドラム４０内に噴射される水の噴射形態が一定に維持され得るものである。
【０１２０】
一方、ノズル流入管６５１の入口６５１ａの面積は、出口６５１ｂの面積より広く形成されることができる。出口６５１ｂから吐出された循環水は、ノズルヘッド６５２の衝突面６５２ａにぶつかった後、噴射口６５７を介してドラム４０内に噴射される。噴射口６５７が向かう方向とノズル流入管６５１の長さ方向とは、互いに交差されることができる。
【０１２１】
ガスケット６０は、ガスケットボディ６３の内周面から突出された突出部６５５を備えることができる。複数のノズル６５ａ、６５ｂ、６５ｃ、６５ｄに対応して複数の突出部６５５が円周方向に沿って形成され得る。各ノズル６５ａ、６５ｂ、６５ｃ、６５ｄの噴射口６５７は、対応する突出部６５５に形成されることができる（図９参照。）。
【０１２２】
図１５に示すように、ノズル流入管６５１は、水流の進行方向に内径が次第に狭くなる流路縮小部６５１ｃを備えることができる。流路縮小部６５１ｃの内径は、ノズルヘッド６５２に至るまで次第に小さくなることができる。
【０１２３】
一方、分配管８０１は、少なくとも一部分がガスケット６０の外周面とバランサ９０ａ、９０ｂとの間に配置され得る。分配管８０１の設置のための別の空間を確保する必要なしに、既存の空間（すなわち、ガスケット６０の外周面とバランサ９０ａ、９０ｂとの間）に設けられることができる。
【０１２４】
一対の上部ノズル６５ｂ、６５ｄは、流入ポート８１より上側に形成され、流入ポート８１を基準に左右両側に各々配置されることができる。一対の上部ノズル６５ｂ、６５ｄは、中心Ｏ（図９参照。）を通る基準線Ｌに対して対称に配置され、したがって、それぞれの上部ノズル６５ｂ、６５ｄの噴射方向も基準線Ｌに対して対称である。
【０１２５】
一対の上部ノズル６５ａ、６５ｃは、中心Ｏまたはドラム４０の中心Ｃよりは上側に位置することができる。それぞれの上部ノズル６５ｂ、６５ｄは、下向きに循環水を噴射するので、ドラム４０を正面から眺めるとき、循環水は、ドラム４０の入口側では、ドラム４０の中心Ｃより上側領域を通過し、ドラム４０内に深く入るほど、下向き傾斜した形態で噴射される。
【０１２６】
一対の下部ノズル６５ａ、６５ｃは、流入ポート８１よりは上側であるが、一対の上部ノズル６５ｂ、６５ｄよりは下側に配置される。一対の下部ノズル６５ａ、６５ｃは、流入ポート８１を基準に左右両側に各々配置されることができ、望ましくは、基準線Ｌに対して対称に配置されて、各下部ノズル６５ａ、６５ｃの噴射方向が基準線Ｌに対して対称である。
【０１２７】
一対の下部ノズル６５ｂ、６５ｃは、中心Ｏまたはドラム４０の中心よりは下側に位置することができる。それぞれの下部ノズル６５ｂ、６５ｃは、上向きに循環水を噴射するので、ドラム４０を正面から眺めるとき、循環水がドラム４０の入口側では、ドラム４０の中心Ｃより下側領域を通過し、ドラム４０内に深く入るほど、上向き傾斜した形態で噴射される。
【０１２８】
図１７を参照して第１のノズル６５ａを例に挙げれば、ノズル流入管６５１の一端は、第１のポート挿入管６４ａと連通され、他端は、タブ３０内部に開放される。ノズル流入管６５１の一端より他端の断面積が狭く形成される。ノズル流入管６５１は、内側に中空６５１ａが形成される。
【０１２９】
ノズルヘッド６５２は、噴射された循環水と干渉し、前記循環水の噴射方向を変更させる。ノズルヘッド６５２は、タブ３０の後方内側に循環水を噴射させる。
【０１３０】
ノズルヘッド６５２の他端６５３は、前記ノズル流入管６５１の吐出側（他端）と離間される。ノズルヘッド６５２は、前記ノズル流入管６５１の他端と離間された状態でノズル流入管６５１を遮るように配置される。循環水は、ノズルヘッド６５２の内側面にぶつかり、吐出方向が変更される。ノズルヘッド６５２の他端６５３は、タブ３０の後方に向かうように配置される。
【０１３１】
ノズル流入管吐出口６５１ｃに吐出された循環水は、ノズルヘッド６５２の衝突面６５２ａにぶつかった後、噴射口６５７を介してタブ３０内部に噴射される。噴射口６５７が向かう方向とノズル流入管６５１が延びる方向とは、交差される。
【０１３２】
図６に示すように、分配管８０１は、循環管８６と連結される流入ポート８１と、流入ポート８１を介して流入した水を案内する移送管路８０と、移送管路８０から突出された複数の吐出ポート８４ａ、８４ｂ、８４ｃ、８４ｄとを備える。
【０１３３】
分配管８０１は、循環管８６から排出された循環水を分枝させて、第１部分流ＦＬ１（図１３参照。）と第２部分流ＦＬ２（図８参照。）とを形成する。分配管８０１は、第１部分流ＦＬ１が案内される第１の流路上に少なくとも１つの吐出ポート８４ｂ、８４ｃが形成されて、対応する吐出ポート８４ｂ、８４ｃを介して対応するノズル６５ｂ、６５ｃに循環水を吐出する。同様に、第２部分流ＦＬ２が案内される第２の流路上に少なくとも１つの吐出ポート８４ｄ、７２ｅが形成されて、対応する吐出ポート８４ｄ、７２ｅを介して対応するノズル６５ｄに循環水を吐出する。移送管路８０は、前記第１の流路を形成する第１の管路部８０ａと、前記第２の流路を形成する第２の管路部８０ｂとを備えることができる。
【０１３４】
第１の管路部８０ａの一端と第２の管路部８０ｂの一端とは、互いに連結されており、このように連結された部分で流入ポート８１が突出される。しかし、第１の管路部８０ａの他端と第２の管路部８０ｂの他端とは、互いに分離されている。すなわち、移送管路８０は、全体的に「Ｙ」字形態からなり、１つの入口（すなわち、流入ポート８１）を介して流入した循環水を２つの流路に分枝させて案内する構造である。
【０１３５】
ノズル６５ａ、６５ｂ、６５ｃ、６５ｄは、ガスケット６０上での高さによって上部ノズル６５ａ、６５ｄと下部ノズル６５ｂ、６５ｃとに区分されることができる。実施形態において、ノズル６５ａ、６５ｂ、６５ｃ、６５ｄは、４個が備えられ、これらは、ガスケット６０の下部に配置される第１の下部ノズル６５ｂと第２の下部ノズル６５ｃ、下部ノズル６５ｂ、６５ｃより上側に配置される第１の上部ノズル６５ａと第２の上部ノズル６５ｄを備えることができる。
【０１３６】
吐出ポート８４ａ、８４ｂ、８４ｃ、８４ｄは、ノズル６５ａ、６５ｂ、６５ｃ、６５ｄと対応する個数で備えられ、それぞれの吐出ポート８４ａ、８４ｂ、８４ｃ、８４ｄが対応するノズル６５ａ、６５ｂ、６５ｃ、６５ｄに循環水を供給する。
【０１３７】
吐出ポート８４ａ、８４ｂ、８４ｃ、８４ｄは、第１の上部ノズル６５ａに循環水を供給する第１の上部吐出ポート８４ｂ、第２の上部ノズル６５ｄに循環水を供給する第２の上部吐出ポート７２ｅ、第１の下部ノズル６５ｂに循環水を供給する第１の下部吐出ポート８４ｃ、第２の下部ノズル６５ｃに循環水を供給する第２の下部吐出ポート８４ｄを備えることができる。
【０１３８】
移送管路８０は、ガスケット６０の外周部周りに配置され、循環管８６を介してポンプ９０１と連結されている。それぞれの吐出ポート８４ａ、８４ｂ、８４ｃ、８４ｄは、移送管路８０から半径方向に沿って内側に突出され、ガスケット６０に挿管されて対応するノズル６５ａ、６５ｂ、６５ｃ、６５ｄに循環水を供給する。
【０１３９】
分配管８０１は、移送管路８０から突出されて循環管８６と連結される流入ポート８１を備えることができる。流入ポート８１は、移送管路８０から半径方向に沿って外側に突出されることができる。
【０１４０】
図１１は、分配管の正面図である。図１１に示すように、第１の管路部８０ａは、第１の区間８５１ないし第４の区間８５４を備えることができる。第２の管路部８０ｂは、第１の管路部８０ａと対称される形態であって、その構成は、実質的に第２の管路部８０ｂと同様なので、以下、第１の管路部８０ａについての説明は、第２の管路部８０ｂにも適用されることができる。
【０１４１】
第１の区間８５１は、流入ポート８１から延びる。第１の区間８５１は、所定の曲率で延びる弧形態（または、アーク形態）の区間である。実施形態において、第１の区間８５１は、略一定の曲率を有する曲線形であるが、これに限らずに、実施形態によって互いに異なる曲率を有する２つ以上の曲線が連結された形態でありうる。
【０１４２】
第２の区間８５２は、第１の区間８５１から連続され、第１の区間８５１から外側に広がる形態からなることができる。言い換えれば、第２の区間８５２は、第１の区間８５１の上端で外側（すなわち、中心Ｏから遠くなる方向）に折り曲げられた後、距離Ｌ２の分だけ延びる部分に該当する。第２の区間８５２の長さＬ２は、第１の区間８５１の長さＬ１に比べて短いことができる。
【０１４３】
第３の区間８５３は、第２の区間８５２から内側（すなわち、中心Ｏと近くなる方向）に折り曲げられた後、距離Ｌ３の分だけさらに延びる部分である。第３の区間８５３は、第２の区間８５２から実質的に鉛直上方向に延びることができる。下部吐出ポート８４ａは、第３の区間８５３に形成され、水平な方向（または、第２の区間８５２と直交する方向）に延びることができる。
【０１４４】
第３の区間８５３において、下部吐出ポート８４ａが突出された第１のフラット面８６０ａは、平らに形成されることができる。第１のフラット面８６０ａは、垂直方向に延びることができる。第１のフラット面８６０ａは、少なくとも一部分がガスケットボディ６３の外周面と接触され得る。さらには、ポート挿入管６４ａの端部が第１のフラット面８６０ａと密着され得る。
【０１４５】
第４の区間８５４は、第３の区間８５３から内側（すなわち、中心Ｏと近くなる方向）に折り曲げられた後、距離Ｌ４の分だけさらに延びて、第１の管路部８０ａの端部にまで至る。上部吐出ポート８４ｂは、第４の区間８５４に形成されることができ、望ましくは、実施形態のように、第４の区間８５４の端部に形成される。第４の区間８５４は、所定の曲率を有する曲線形態であることができ、上部吐出ポート８４ｂの長さ方向と交差される方向に延びることができる。
【０１４６】
第１の管路部８０ａの端部（または、第４の区間８５４の端部）において、上部吐出ポート８４ｂが突出された第２のフラット面８６０ｂは、平らに形成されることができる。第２のフラット面８６０ｂは、垂直方向に延びることができる。この場合、面８６０ａと第２のフラット面８６０ｂとは、互いに平行である。第２のフラット面８６０ｂは、少なくとも一部分がポート挿入管６４ｂの端部と密着されることができる。
【０１４７】
一方、第４の区間８５４が第３の区間８５３から内側に折り曲げられた形態であるから、前方から眺めるとき、上部吐出ポート８４ｂが形成された第２のフラット面８６０ｂは、下部吐出ポート８４ａが形成された第２のフラット面８６０ａよりさらに対称基準線Ｌと近く位置する。さらには、望ましくは、第２のフラット面８６０ｂが第１のフラット面８６０ａよりさらにガスケットボディ６３の外周面と近い。
【０１４８】
一方、図１１で説明されていない８６０ｃは、下部吐出ポート８４ｃが突出されるフラット面であり、８６０ｄは、上部吐出ポート８４ｄが突出されるフラット面である。
【０１４９】
また、前方から眺めるとき、上部吐出ポート８４ｂの終端は、下部吐出ポート８４ａの終端より距離Ｓの分だけさらに対称基準線Ｌに近い地点に位置する。
【０１５０】
図１１〜図１２に示すように、第１の管路部８０ａは、下部吐出ポート８４ａと連結される部分に下部ポート連結部８５８が形成され、上部吐出ポート８４ｂと連結される部分に上部ポート連結部８５７が形成され得る。
【０１５１】
同様に、第２の管路部８０ｂは、下部吐出ポート８４ｃと連結される部分に下部ポート連結部８６８が形成され、上部吐出ポート８４ｄと連結される部分に上部ポート連結部８６７が形成され得る。
【０１５２】
それぞれのポート連結部８５７、８５８、８６７、８６８は、図１２に示されたように、側面から眺めるとき、周辺部に比べて前方に膨らんだ形態からなることができる。各ポート連結部８５７、８５８、８６７、８６８の幅Ｐは、前記周辺部の幅Ｗより大きいことができる。言い換えれば、管路部８０ａ、８０ｂは、流入ポート８１から一定の幅Ｗに延び、ポート連結部８５８、８６８から前方に膨らんで突出された後、再度幅がＷに狭くなり、ポート連結部８５７、８７８まで延びる。一方、ポート連結部８５７、８５８、８６７、８６８の幅Ｐは、吐出ポート８４ａの直径ｔより大きいことができる。
【０１５３】
一方、図１５に示すように、それぞれの吐出ポート８４ａ、８４ｂ、８４ｃ、８４ｄの外周面には、円周方向に延びるリング形の圧入突起８６９が形成され得る。圧入突起８６９は、吐出ポート８４ａ、８４ｂ、８４ｃ、８４ｄの長さ方向に沿って複数個が配置され得る。圧入突起８６９は、断面が楔形態からなることができる。吐出ポート８４ａ、８４ｂ、８４ｃ、８４ｄをポート挿入管６４ａ、６４ｂ、６４ｃ、６４ｄに挿入するとき、圧入突起８６９がポート挿入管６４ａ、６４ｂ、６４ｃ、６４ｄの内周面を押すので、結合力が増加される。
【０１５４】
吐出ポート８４ａ、８４ｂ、８４ｃ、８４ｄがポート挿入管６４ａ、６４ｂ、６４ｃ、６４ｄに挿入される方向を第１方向と定義すれば、圧入突起８６９は、垂直面と、前記垂直面から第１方向に行くほど、次第に高さが低くなるように傾斜をなす傾斜面とを備えることができる。吐出ポート８４ａ、８４ｂ、８４ｃ、８４ｄがポート挿入管６４ａ、６４ｂ、６４ｃ、６４ｄに挿入されるときには、前記傾斜面により圧入が容易になり、圧入が完了した後には、前記垂直面により吐出ポート８４ａ、８４ｂ、８４ｃ、８４ｄがポート挿入管６４ａ、６４ｂ、６４ｃ、６４ｄから容易に抜け出さないようになる。結束部材（例えば、クランプ）を用いなくとも、分配管８０１をガスケット６０に結合できるので、前記結束部材を締めるための作業所要時間が必要でない。
【０１５５】
一方、ポート挿入管６４ａ、６４ｂ、６４ｃ、６４ｄに挿入された状態で吐出ポート８４ａ、８４ｂ、８４ｃ、８４ｄの端部は、ノズル流入管６５１にまで至ることができ、このとき、吐出ポート８４ａ、８４ｂ、８４ｃ、８４ｄの内周面とノズル流入管６５１の内周面とは、実質的に連続した面を形成することによって循環水の抵抗を減らす。ノズル流入管６５１は、管状の形態であって、外径部６３２の内周面から突出され、対応するノズルヘッド６５２と連結される。
【０１５６】
図１９は、本発明の他の実施形態に係る洗濯機に適用されるポンプを部分的に切り欠いて示したものである。図２０は、本発明の他の実施形態に係る洗濯機に適用される第１の分配管と第２の分配管とを示したものである。
【０１５７】
図１９〜図２０に示すように、前述した実施形態とは異なり、ガスケット６０には、２つの分配管８０２、８０３が設けられ得る。２つの分配管８０２、８０３は、基準線Ｌを基準に一側に配置される第１の分配管８０２と他側に配置される第２の分配管８０３とを備えることができる。
【０１５８】
２つの分配管８０２、８０３に循環水を供給するためのポンプ９０２が備えられる。ポンプ９０２は、２つの循環ポート９１２ａ、９１２ｂを備えることができ、図示されてはいないが、２つの循環管が循環ポート９１２ａ、９１２ｂを各々分配管８０２、８０３と連結する。
【０１５９】
より詳細に、ポンプ９０２は、ポンプハウジング９１と、ポンプハウジング９１内に配置されるインペラ９１５と、回転力を提供してインペラ９１５を回転させるポンプモータ９２とを備える。
【０１６０】
ポンプハウジング９１は、インペラ９１５が収容されるチャンバを形成する。ポンプハウジング９１は、排出ホース７２と連結されて、前記チャンバ内に循環水を案内する水入りポート９１１と、インペラ９１５により圧送された水を吐出する第１の循環ポート９１２ａと第２の循環ポート９１２ｂとを備えることができる。
【０１６１】
ポンプモータ９２によりインペラ９１５が回転されながら形成された水流が第１の循環ポート９１２ａと第２の循環ポート９１２ｂとを介して同時に吐出され、このとき、第１の循環ポート９１２ａを介して吐出された水は、第１の循環管（図示せず）を介して第１の分配管８０２に供給され、第２の循環ポート９１２ｂを介して吐出された水は、第２の循環管（図示せず）を介して第２の分配管８０３に供給される。
【０１６２】
第１の分配管９１２ａは、第１のノズル６５ａと第２のノズル６５ｂとに循環水を供給する。第１の分配管９１２ａは、前記第１の循環管により第１の循環ポート９１２ａと連結される第１の流入ポート８１ａと、第１の流入ポート８１ａを介して流入した循環水を案内する第１の管路部８０ａと、第１の管路部８０ａ上に配置される２つの吐出ポート８４ａ、８４ｂとを備えることができる。
【０１６３】
２つの吐出ポート８４ａ、８４ｂは、各々第１のポート挿入管６４ａと第２のポート挿入管６４ｂとに挿入されることができる。
【０１６４】
第２の分配管８０３は、第３のノズル６５ｃと第４のノズル６５ｄとに循環水を供給する。第２の分配管８０３は、前記第２の循環管により第２の循環ポート９１２ｂと連結される第２の流入ポート７３ｂと、第２の流入ポート７３ｂを介して流入した循環水を案内する第２の管路部８０ｂと、第２の管路部８０ｂ上に配置される２つの吐出ポート８４ｃ、８４ｄとを備えることができる。
【０１６５】
２つの吐出ポート８４ｃ、８４ｄは、各々第３のポート挿入管６４ｃと第４のポート挿入管６４ｄとに挿入されることができる。
【０１６６】
一方、ポンプハウジング９１は、排水管７４と連結された排水排出ポート９１３をさらに備えることができ、前述した実施形態と同様に、ポンプ９０１は、水入りポート９１１を介して循環水が流入し、排出ポート９１３と連通されたチャンバ９１６と、チャンバ９１６内で回転されるインペラ９１７と、インペラ９１７を回転させる第２のポンプモータ９３とをさらに備えることができる（以上、図３〜図４参照）。
【０１６７】
図２３は、本発明の実施形態に係る分配管において吐出ポートに圧入突起が形成された構造を拡大したものである。図２４は、本発明のさらに他の実施形態に係る分配管において吐出ポートを見せる部分図である。図２５は、図２４に示された分配管の吐出ポートがポート挿入管に挿入された状態を示した断面図である。図２６は、図２５のＡ部分を拡大したものである。
【０１６８】
以下、図２３〜図２５を参照して、上部吐出ポート８４ｂに形成された圧入突起８６９と終端突起８４２とを説明するが、これらの突起８６９、８４２は、図１〜図２２を参照して前述した他の吐出ポートにも適用され得ることを明示する。
【０１６９】
図２３〜図２５に示すように、圧入突起８６９は、吐出ポート８４ｂの外部周り面に形成されることができる。終端突起８４２は、吐出ポート８４ｂの終端に形成されることができる。
【０１７０】
実施形態によって、吐出ポート８４ｂには、図２３のように、圧入突起８６９のみ形成されることができ、図２４のように、圧入突起８６９と終端突起８４２とが共に形成されることもできる。
【０１７１】
ノズル６５ｂは、入口部６６１から出口部６６２へ行くほど、ノズルの直径が次第に減少できる。吐出ポート８４ｂがノズル６５ｂの出口部６６２側に圧入されるほど、小さい直径の出口部６６２が吐出ポート８４ｂの終端部をより強く圧迫して吐出ポート８４ｂとノズル６５ｂとの間が強く結合され得る。
【０１７２】
出口部６６２は、ドラム４０の内部に向かう環形の段差部６６２ａを備える。終端突起８４２は、吐出ポート８４ｂの終端に形成されて、吐出ポート８４ｂのノズル６５ｂへの圧入結合の際、段差部６６２ａに係合される。
【０１７３】
終端突起８４２は、吐出ポート６４ｂの終端に沿ってリング形状に突出形成され、吐出ポート６４ｂの圧入方向には、所定の傾斜面８４２ａが形成され、吐出ポート８４ｂの圧入反対方向には、垂直面８４２ｂが形成されて、垂直面８４２ｂと段差部６６２ａとが当接しながら同時に係合される。
【０１７４】
吐出ポート８４ｂの圧入方向に傾斜面８４２ａが形成されるので、終端突起８４２が段差部６６２ａに係止するまで柔らかく移動されることができる。また、垂直面８４２ｂが段差部６６２ａと面接触されるので、垂直面８４２ｂと段差部６６２ａとの密着性が向上して、吐出ポート８４ｂに前記圧入方向の反対方向に力が作用されても容易に脱去されない。
【０１７５】
一方、段差部６６２ａは、ドラム４０内への循環水供給による吐出ポート８４ａが受ける力の方向と反対方向に形成されており、吐出ポート８４ａの脱去を防止し、吐出ポート８４ｂをガスケット６０に固定させる。
【０１７６】
結論的に、入口部６６１では、圧入突起８６９により吐出ポート８４ａの動きが制限され、出口部６６２でも、終端突起８４２と段差部６６２ａとの間の係合により固定がなされるので、循環水の循環過程で水圧、振動、及びその他、種々の外力が加えられても、分配管８０１、８０２、８０３がガスケット６０から容易に脱去されない。
【０１７７】
一方、上述した圧入突起６８９及び終端突起８４２、そして、前記突起等の結合関係に関する内容は、本実施形態及び他の実施形態に全て適用可能である。
【０１７８】
図１１に示されたように、第１の吐出ポート８４ａの外径をｔ１といい、内径をＤ１といい、内側断面積をＤＡ１という。第２の吐出ポート８４ｂの外径をｔ２といい、内径をＤ２といい、内側断面積（または、流路断面積）をＤＡ２という。そして、流入ポート８１の内径（または、流路断面積）をＤ３といい、内側断面積をＤＡ３という。
【０１７９】
流入ポート８１を介して流入した洗濯水は、第１の管路部８０ａと第２の管路部８０ｂとに分配された後、上側に案内される。第１の管路部８０ａに沿って上昇案内される洗濯水は、第１の吐出ポート８４ａと第２の吐出ポート８４ｂとを介して順に吐出され、同様に、第２の管路部８０ｂに沿って上昇案内される洗濯水は、第３の吐出ポート８４ｃと第４の吐出ポート８４ｄとを介して順に吐出される。
【０１８０】
管路部８０ａ、８０ｂに沿って水流が上昇する過程で水圧が次第に低くなり、具体的には、図１２に示されたように、流入ポート８１で水圧ＰＡ（図１１でＡに表示された地点での水圧）が最も大きく、第１、３の吐出ポート８４ａ、８４ｃでの水圧ＰＢ（図１１でＢに表示された地点での水圧）がその次であり、第２、４の吐出ポート８４ｂ、８４ｄでの水圧ＰＣ（図１１でＣに表示された地点での水圧）が最も小さい。（ＰＡ＞ＰＢ＞ＰＣ）
【０１８１】
上記のように、下側に位置する吐出ポート８４ａ、８４ｃ（以下、下部吐出ポートという。）と上側に位置する吐出ポート８４ｂ、８４ｄ（以下、上部吐出ポートという。）との間に水圧差が発生するので、内径が同じ場合、上側吐出ポート８４ｂ、８４ｄの吐出流量が下部吐出ポート８４ａ、８４ｃより小さいしかない。
【０１８２】
このような、上／下部吐出ポート８４ａ、８４ｂ、８４ｃ、８４ｄの吐出流量に差が発生することを補正するために、本実施形態では、上部吐出ポート８４ｂ、８４ｄの流路断面積ＤＡ２が下部吐出ポート８４ａ、８４ｃの流路断面積ＤＡ１より大きいようにした。望ましくは、ＰＢ＊ＤＡ１＝ＰＣ＊ＤＡ２である。また、望ましくは、ＤＡ１＞ＤＡ２＞ＤＡ３である。
【０１８３】
一方、分配管８０は、ガスケットボディ６３の外周面及びバランサ９０間に配置される。より詳細には、図１０に示すように、分配管８０は、少なくとも一部分がガスケットボディ６３の外周面に形成された陥没部６７に配置されることができる。第１の管路部８０ａ及び第２の管路部８０ｂと各々対応するように、陥没部６７は、ガスケットボディ６３の両方に各々形成されることができる。（図５の６７（１）、図７の６７（２）参照。）
【０１８４】
循環管８６の一端は、分配管８０の下部から突出された流入ポート８１と連結され、他端は、ポンプ９０１の吐出ポート８４と連結される。ポンプが吐出ポートの流入ポート８１と一直線上で向かい合う位置に備えられた場合、循環管８６は、一直線のパイプ状でありうる。ただし、それ以外の場合には、折り曲げられて形成されることができる。
【０１８５】
循環管８６は、柔軟であるものの、形状が維持される材質からなることができ、本発明の実施形態では、ＥＰＤＭ（ｅｔｈｙｌｅｎｅｐｒｏｐｙｌｅｎｅｄｉｅｎｅｍｏｎｏｍｅｒｒｕｂｂｅｒ）からなることができる。
【０１８６】
陥没部６７は、ガスケットボディ６３の外周面６１に形成され、移送管路８０ａ、８０ｂの少なくとも一部分が陥没部６７内に定着されることができる。陥没部６７は、ガスケットボディ６３の外周面６１の一部が内側に陥没されて形成されることができる。具体的に、ガスケットボディ６３の外周面６１上には、部分的に外側に隆起した部分が形成され得るし、前記隆起した部分に陥没部６７が形成され得る。
【０１８７】
ドラム４０の回転過程でタブ３０が振動することになり、タブ３０の振動によって柔軟な材質のガスケット６０は、折り畳まれるか、拡げられることができ、これにより振動することもできる。
【０１８８】
ケーシング１０とタブ３０とは、剛体とみなすことができるので、ガスケット６０がケーシング１０やタブ３０と連結される部分での変形は、微々たる程度である。したがって、ケーシング結合部６１よりは、タブ結合部６２と近接した位置に陥没部６７を形成することにより（図１０参照。）、陥没部６７の過度な変形を防止し、移送管路８０を陥没部６７に安定的に定着させることができる。このような側面で、陥没部６７は、外径部６３２に形成されることが好ましい。
【０１８９】
陥没部６７は、ガスケットボディ６３の周りから円周方向に延びることができる。陥没部６７は、溝の底をなす底面６３ａと、底面６３ａから半径外側方向に延びて溝の側面をなす側面６３ｂとを備えることができる。陥没部６７は、タブ３０に向かう後方面が開放され、前方パネル１１に向かう前方面は、側面６３ｂにより規定されることができる。
【０１９０】
移送管路８０ａ、８０ｂの断面は、半径方向に定義した高さが、ガスケット６０の長さ方向（または、洗濯機の前後方向）に定義した幅より短い外形をなすことができる。すなわち、移送管路８０ａ、８０ｂの断面は、陥没部６７の底面６３ａと対応する幅が陥没部の側面６３ｂと対応する高さより長く形成されることができる。例えば、移送管路８０ａ、８０ｂの断面は、略長方形をなすことができ、この場合、長方形の長辺は、前記幅になり、短辺は、前記高さになる。
【０１９１】
移送管路８０の外形で、高さは、ガスケット６０とバランサ６０との間の間隔と対応するので、上記のように、高さが幅より短い外形は、ガスケット６０とバランサ９０との間の狭い間隔内に移送管路８０を容易に設けることができるようにするという効果がある。
【０１９２】
移送管路８０ａ、８０ｂが陥没部６７内に位置できるように、陥没部の底面６３ａの幅は、移送管路８０の幅と同じであるか、大きく形成されることができる。
【０１９３】
陥没部６７は、移送管路８０と同様に、略Ｕ字形態からなり、Ｕ字形態の両方上端は、移送管路８０の両方上端（すなわち、第１の管路部８０ａの上端と第２の管路部８０ｂの上端）より各々さらに上側まで延びることができる。言い換えれば、陥没部６７は、ガスケット６０の最下側で円周方向に沿って両方に各々延びるものの、一方は、第１の管路部８０ａの上端よりさらに高くまで延び、他の一方は、第２の管路部８０ｂの上端よりさらに高くまで延びることができる。
【０１９４】
または、基準線Ｌを中心に左右両側に各々陥没部６７が形成され得るし、この場合、両側の陥没部６７は、互いに分離されている。左側に形成された陥没部には、第１の移送管路８０の少なくとも一部分が定着し、右側に形成された陥没部には、第２の移送管路８０の少なくとも一部分が定着することができる。
【０１９５】
望ましくは、ガスケット６０の中心Ｏを通る水平線が上記のように、ガスケット６０の両方に各々形成された陥没部６７を通るようになる。ケーシング１０は、左右方向より上下方向にさらに長い直六面体状であり、この場合、タブ３０とケーシング１０との間の間隔は、タブ３０の上下側よりは、左右側でより狭小である。したがって、ケーシング１０とタブ３０との間の間隔が最も狭い前記水平線が通る部分に陥没部を位置させることにより、第１、２の管路部８０（ａ）、８００（ｂ）とケーシング１０の側面が最大限離間させることができる。
【０１９６】
図２１と図２２は、ガスケットに分配管が設けられた状態を示した部分図であって、特に、ガスケットに形成された残水排出ポートと残水回収口とを見せる図である。
【０１９７】
図２１〜図２２に示すように、ガスケット６０には、ガスケットボディ６３の内周面に残存する水（以下、「残水」ともいう。）を排出するための残水排出口６９ｈが形成され得る。
【０１９８】
残水排出口６９ｈは、所定の管路を介して洗濯機の外部またはポンプ９０１と連結されることができる。後者の場合、残水排出口６９ｈは、第２のインペラが回転されるとき、排水管７４を介して排出されることができる。
【０１９９】
ただし、これに限らずに、残水排出口６９ｈをタブ３０と連結して残水をタブ３０に回収することもでき、この点について、以下でより詳細に説明する。
【０２００】
タブ３０には、残水回収口３９ｈが形成され得る。残水回収口３９ｈは、タブ３０の前方面３１に形成されることができる。残水回収口３９ｈと残水排出口６９ｈとを連通する残水回収管１００が備えられ得る。
【０２０１】
残水回収口３９ｈは、残水排出口６９ｈより下側に位置し、したがって、ガスケットボディ６３の内周面に溜まった残水が残水排出口６９ｈと残水回収管１００とを介して残水回収口３９ｈに自然排水されることができる。
【０２０２】
ガスケットボディ６３の外周面６１には、残水排出口６９ｈと連通される残水排出ポート６９が下側に突出され得る。タブ３０の前方面３１には、残水回収口３９ｈと連通される残水回収ポート３９が前方に突出され得る。
【０２０３】
残水排出ポート６９は、残水回収管１００の上端と連結されることができ、残水回収ポート３９は、残水回収管１００の下端と連結されることができる。具体的に、残水回収管１００の両端が各々残水排出ポート６９と残水回収ポート３９とに内挿され得る。この場合、残水排出ポート６９及び残水回収ポート３９と各々重なる残水回収管１００の両端部をクランプを用いて締めることにより、残水回収管１００と残水回収管１００とを固定できる。
【０２０４】
分配管８０１の流入ポート８１は、残水排出ポート６９の一側に位置する。前方から眺めるとき、流入ポート８１と残水排出ポート６９とが互いに重ならない領域に各々配置されるので、残水回収管１００を設けるとき、流入ポート８１と干渉されることが防止され得る。
【０２０５】
一方、残水排出ポート６９は、第１のバランサ９０ａの下端と第２のバランサ９０ｂの下端との間に配置されることができる。流入ポート８１は、残水排出ポート６９と第１のバランサ９０ａとの間、または残水排出ポート６９と第２のバランサ９０ｂとの間に配置されることができる。
【０２０６】
残水排出ポート６９は、吐出ポート８４またはノズル６６から噴射された循環水がガスケット内周面に溜まる場合、これを円滑に排出するために、前記複数の吐出ポート８４ａ、８４ｂ、８４ｃ、８４ｄのうち、最も下側に位置した吐出ポート８４ａ、８４ｃ及び／又は最も下側に位置したノズル６５ａ、６５ｃより下側に配置されることができる。
【０２０７】
ガスケット６０は、前方から眺めるとき、基準線Ｌと会う下側中央部位がガスケット６０の最低点になることができる。残水排出ポート６９は、前記下側中央部位に形成されることができる。
【０２０８】
分配管８０は、タブ３０に近いようにガスケットボディ６３の外周面６１に配置され、残水排出ポート６９は、分配管８０との干渉を避けるために、移送管路８０ａ、８０ｂより前方に配置されることができる。
【０２０９】
残水回収口３９ｈまたは残水回収ポート３９は、移送管路８０ａ、８０ｂより下側に形成されることができる。残水回収管１００は、循環水給水管８０の前方に配置されて、残水排出ポート６９と残水回収ポート３９とを連結することができる。
【０２１０】
一方、残水排出ポート６９がガスケットボディ６３の下側中央に形成され、残水回収口３９ｈも残水排出ポート６９の鉛直下方に配置される場合、残水回収管１００は、前方から眺めるとき、垂直線に沿って配置される形態になり、この場合、流入ポート８１は、残水回収管１００との干渉を避けるために、残水排出ポート６９から側に（例えば、右側）所定距離離間されなければならない。
【０２１１】
流入ポート８１が前記中央から遠く離れるほど、第１の管路部８０ａと第２の管路部８０ｂとの両方に均等に流量を配分するのに困難が生じる場合がある。この点を考慮するとき、残水回収ポート３９を前記中央を通る垂直線上に整列することでなく、残水排出ポート６９の一側（例えば、左側）に配置することで、流入ポート８１をできるだけ前記垂直線と近接した位置に配置することができる。
【０２１２】
一方、残水排出ポート６９は、ガスケットボディ６３に形成されることができる。残水排出ポート６９は、ガスケットボディ６３の外周面上で下部領域から突出されることができる。残水排出ポート６９は、望ましくは、外径部６３２から突出されるが、これに限らずに、内径部６３１から突出されることも可能である。
【０２１３】
以上、添付された図面を参照して本発明の実施形態を説明したが、本発明は、前記実施形態に限定されるものではなく、互いに異なる様々な形態で製造されることができ、本発明の属する技術分野における通常の知識を有する者は、本発明の技術的思想や必須的な特徴を変更せずに他の具体的な形態で実施され得るということが理解できるであろう。したがって、以上で記述した実施形態は、あらゆる面において例示的なものであり、限定的でないことと理解しなければならない。
【図１】
2021528184.tif 000003
【図２】
2021528184.tif 000004
【図３】
2021528184.tif 000005
【図４】
2021528184.tif 000006
【図５】
2021528184.tif 000007
【図６】
2021528184.tif 000008
【図７】
2021528184.tif 000009
【図８】
2021528184.tif 000010
【図９】
2021528184.tif 000011
【図１０】
2021528184.tif 000012
【図１１】
2021528184.tif 000013
【図１２】
2021528184.tif 000014
【図１３】
2021528184.tif 000015
【図１４】
2021528184.tif 000016
【図１５】
2021528184.tif 000017
【図１６】
2021528184.tif 000018
【図１７】
2021528184.tif 000019
【図１８】
2021528184.tif 000020
【図１９】
2021528184.tif 000021
【図２０】
2021528184.tif 000022
【図２１】
2021528184.tif 000023
【図２２】
2021528184.tif 000024
【図２３】
2021528184.tif 000025
【図２４】
2021528184.tif 000026
【図２５】
2021528184.tif 000027
【図２６】
2021528184.tif 000028
【国際調査報告】
2021528184.tif 000029
2021528184.tif 000030
2021528184.tif 000031
2021528184.tif 000032